(57)【要約】【課題】本発明は、確実に飲料缶を保持することができ、飲料漏れの少ない飲料サーバーを提供すること。【解決手段】  飲料缶３０の飲み口側の端部の外側に嵌合状態で取り付けられ、弾性変形によって縮径可能に構成された円筒状の缶リング２４と、前記缶リング２４の外側に嵌合状態で結合され、結合状態で当該缶リング２４を縮径させて前記缶リング２４に取り付けられた飲料缶３０を保持する缶ホルダー５と、前記飲料缶３０と前記缶ホルダー５との間に介装されるパッキン２２と、を備えたことを特徴とする。【選択図】図２
2017128350.tif 000002
【特許請求の範囲】
【請求項１】
飲料缶の飲み口側の端部の外側に嵌合状態で取り付けられ、弾性変形によって縮径可能に構成された円筒状の缶リングと、
前記缶リングの外側に嵌合状態で結合され、結合状態で当該缶リングを縮径させて前記缶リングに取り付けられた飲料缶を保持する缶ホルダーと、
前記飲料缶と前記缶ホルダーとの間に介装されるパッキンと、
を備えたことを特徴とする飲料サーバー。
【請求項２】
前記缶リングは円周方向の所定箇所にスリットが形成され、このスリットによって前記缶リングは縮径可能となっていることを特徴とする請求項１に記載の飲料サーバー。
【請求項３】
前記缶リングは、１つの前記スリットが形成されることによって、Ｃ状のリングとなっていることを特徴とする請求項２に記載の飲料サーバー。
【請求項４】
前記缶リングの外周には外向爪が形成され、前記缶ホルダーの内周には、前記缶リングとの相対回転により前記外向爪に係合して当該缶リングと結合させる内向爪が形成されていることを特徴とする請求項３に記載の飲料サーバー。
【請求項５】
前記缶ホルダーは有底円筒状に構成され、前記缶ホルダーの底壁は前記飲料缶の前記飲み口が形成された蓋面に対向するとともに、外周壁の内側に同心的に筒状壁を有し、前記パッキンは、前記筒状壁に押圧されて前記飲料缶の前記蓋面に当接する環状の平面部と、前記平面部に連設され前記筒状壁に押圧されて前記飲料缶の飲み口側の外周縁内面に当接する円筒状起立部と、前記円筒状起立部に連設され前記底壁に押圧されて前記飲料缶の飲み口側の外周縁の先端に当接される張出部と、を有することを特徴とする請求項１から請求項４のいずれか一項に記載の飲料サーバー。
【請求項６】
有底円筒状に構成された前記缶ホルダーの底壁は前記飲料缶の前記飲み口が形成された蓋面に対向するとともに、発泡飲料が入った前記飲料缶が逆さに取り付けられ、前記缶ホルダーの前記底壁には第１の孔、第２の孔及び第３の孔が形成され、前記第１の孔は泡排出路、前記第２の孔は飲料缶挿入用パイプ及びガス排出路、前記第３の孔は飲料排出路にそれぞれ連通し、さらに、前記泡排出路、前記ガス排出路及び前記飲料排出路の開閉を行い少なくとも泡と飲料の排出を選択的に行える弁動作機構を備えることを特徴とする請求項１から請求項５のいずれか一項に記載の飲料サーバー。
【請求項７】
前記弁動作機構は、前記泡排出路を開放させる泡トリガーと、前記ガス排出路及び前記飲料排出路をこの順で開放させる飲料トリガーとを備えることを特徴とする請求項６に記載の飲料サーバー。
【請求項８】
前記缶ホルダーにはハンドルが着脱可能に設けられていることを特徴とする請求項６又は請求項７に記載の飲料サーバー。
【発明の詳細な説明】
【技術分野】
【０００１】
本発明は、飲料サーバーに関するものである。
【背景技術】
【０００２】
従来、家庭でも使用できる簡易な飲料サーバーとしては、ビール等が入った飲料缶をサーバー内に逆さ（飲み口を下にして）に配置し、飲料を重力落下させるものが知られている（例えば、特許文献１、特許文献２参照）。
【先行技術文献】
【特許文献】
【０００３】
【特許文献１】特開２０１５−１３７１０８号公報
【特許文献２】特開２０１２−１４４２５８号公報
【発明の概要】
【発明が解決しようとする課題】
【０００４】
特許文献１に開示されている飲料サーバーにおいては、缶ホルダーの内周面に設けた固定爪を飲料缶の上端（飲み口側に端）下の括れ部に係合させるとともに、缶ホルダーの半径方向に動作可能で半径方向内方に向けて付勢された可動爪を同じく括れ部に係合させることによって飲料缶を缶ホルダーに保持していた。
また、特許文献２に開示されている飲料サーバーにおいては、単に、缶ホルダーであるケース体を飲料缶に嵌合させることにより、飲料缶を缶ホルダーに保持していた。。
しかしながら、このような構造の場合には、据え置き型のものならば兎も角、手で注ぐ構造のものでは飲料缶に衝撃が加わったとき、例えば飲料サーバーをテーブル上に置くとき等に飲料缶に衝撃が加わったとき、缶ホルダーから飲料缶がずれたりして、飲料缶及び缶ホルダーとパッキンとの間に隙間が生じて飲料漏れなどの虞がある。
本発明は、確実に飲料缶を保持することができ、飲料漏れの少ない飲料サーバーを提供することを目的とする。
【課題を解決するための手段】
【０００５】
請求項１に記載の飲料サーバーは、
飲料缶の飲み口側の端部の外側に嵌合状態で取り付けられ、弾性変形によって縮径可能に構成された円筒状の缶リングと、
前記缶リングの外側に嵌合状態で結合され、結合状態で当該缶リングを縮径させて前記缶リングに取り付けられた飲料缶を保持する缶ホルダーと、
前記飲料缶と前記缶ホルダーとの間に介装されるパッキンと、
を備えたことを特徴とする。
【０００６】
請求項２に記載の飲料サーバーは、請求項１に記載の飲料サーバーであって、前記缶リングは円周方向の所定箇所にスリットが形成され、このスリットによって前記缶リングは縮径可能となっていることを特徴とする飲料サーバー。
【０００７】
請求項３に記載の飲料サーバーは、請求項２に記載の飲料サーバーであって、前記缶リングは、１つの前記スリットが形成されることによって、Ｃ状のリングとなっていることを特徴とする。
【０００８】
請求項４に記載の飲料サーバーは、請求項３に記載の飲料サーバーであって、前記缶リングの外周には外向爪が形成され、前記缶ホルダーの内周には、前記缶リングとの相対回転により前記外向爪に係合して当該缶リングと結合させる内向爪が形成されていることを特徴とする。
【０００９】
請求項５に記載の飲料サーバーは、請求項１から請求項４のいずれか一項に記載の飲料サーバーであって、前記缶ホルダーは有底円筒状に構成され、前記缶ホルダーの底壁は前記飲料缶の前記飲み口が形成された蓋面に対向するとともに、外周壁の内側に同心的に筒状壁を有し、前記パッキンは、前記筒状壁に押圧されて前記飲料缶の前記蓋面に当接する環状の平面部と、前記平面部に連設され前記筒状壁に押圧されて前記飲料缶の飲み口側の外周縁内面に当接する円筒状起立部と、前記円筒状起立部に連設され前記底壁に押圧されて前記飲料缶の飲み口側の外周縁の先端に当接される張出部と、を有することを特徴とする。
【００１０】
請求項６に記載の飲料サーバーは、請求項１から請求項５のいずれか一項に記載の飲料サーバーであって、有底円筒状に構成された前記缶ホルダーの底壁は前記飲料缶の前記飲み口が形成された蓋面に対向するとともに、発泡飲料が入った前記飲料缶が逆さに取り付けられ、前記缶ホルダーの前記底壁には第１の孔、第２の孔及び第３の孔が形成され、前記第１の孔は泡排出路、前記第２の孔は飲料缶挿入用パイプ及びガス排出路、前記第３の孔は飲料排出路にそれぞれ連通し、さらに、前記泡排出路、前記ガス排出路及び前記飲料排出路の開閉を行い少なくとも泡と飲料の排出を選択的に行える弁動作機構を備えることを特徴とする。
【００１１】
請求項７に記載の飲料サーバーは、請求項６に記載の飲料サーバーであって、前記弁動作機構は、前記泡排出路を開放させる泡トリガーと、前記ガス排出路及び前記飲料排出路をこの順で開放させる飲料トリガーとを備えることを特徴とする。
【００１２】
請求項８に記載の飲料サーバーは、請求項６又は請求項７に記載の飲料サーバーであって、前記缶ホルダーにはハンドルが着脱可能に設けられていることを特徴とする。
【発明の効果】
【００１３】
請求項１に記載の飲料サーバーによれば、飲料缶の飲み口側の端部の外側に嵌合させた円筒状の缶リングに缶ホルダーを嵌合させた際に、缶リングが縮径されて缶ホルダーに結合されるので、缶ホルダーによって確実に飲料缶が保持される。
【００１４】
請求項２に記載の飲料サーバーによれば、単にスリットを形成することで缶リングを縮径可能としているので、構造が簡素で効果の高い飲料サーバーが実現できる。
【００１５】
請求項３に記載の飲料サーバーによれば、缶リングはＣ状のリングとなっているので、缶リングに缶ホルダーを嵌合させた際に、缶リング全体が縮径されて結合されるので、缶ホルダーによってより確実に飲料缶が保持される。
【００１６】
請求項４に記載の飲料サーバーによれば、缶リングの外周には外向爪が形成され、缶ホルダーには、缶リングとの相対回転により外向爪に係合して当該缶リングと結合させる内向爪が形成されているので、簡単に、缶リング及び缶リングを結合させることができる。
【００１７】
請求項５に記載の飲料サーバーによれば、飲料缶の前記飲み口が形成された蓋面、外周縁内面及び外周縁の先端でパッキンが当接されるので、より確実に、飲料漏れを防止することができる。
【００１８】
請求項６に記載の飲料サーバーによれば、泡排出路、前記ガス排出路及び飲料排出路の開閉を行い少なくとも泡と飲料の排出を選択的に行える弁動作機構を備えるので、確実に、飲料又は泡を選択的に注ぐことができる。
【００１９】
請求項７に記載の飲料サーバーによれば、泡排出路を開放させる泡トリガーと、ガス排出路及び飲料排出路をこの順で開放させる飲料トリガーとを備えるので、泡トリガー及び飲料トリガーの操作によって、任意に飲料の量と泡の量とをコントロールすることができる。
【００２０】
請求項８に記載の飲料サーバーによれば、缶ホルダーにはハンドルが着脱可能に設けられているので、操作性がよくなる。
【図面の簡単な説明】
【００２１】
【図１】本発明の飲料サーバーの一実施形態を示した斜視図である。
【図２】図１の飲料サーバーの分解斜視図である。
【図３】バレルと弁動作機構の一部を説明するための図である。
【図４】弁動作機構を示した図である。
【図５】パッキン示した図である。
【図６】缶リングを示した斜視図である。
【図７】缶リング及びパッキンを飲料缶に装着した状態を示した断面図である。
【図８】缶リング、パッキン及び缶ホルダーを飲料缶に装着した状態の一部を示した断面図である。
【図９】実施形態の使用状態を示した斜視図である。
【発明を実施するための形態】
【００２２】
以下、本発明の飲料サーバーを図面に示した実施形態に基づいて説明する。
【００２３】
（全体構成）
この飲料サーバー１は、図１に示すようにハンディタイプの飲料サーバーである。図２に示すように、この飲料サーバー１は、大別して、機器本体２と、缶ホルダー５と、缶リング２４とを備えている。
【００２４】
（細部構成）
１．缶ホルダー５
先ず、缶ホルダー５について説明する。
缶ホルダー５は浅底且つ有底円筒状に構成されている。すなわち、缶ホルダー５は、円板状の底壁５ａと、その底壁５ａの外周から立設された円筒状の外周壁５ｂとを備えている。
底壁５ａの中央部には同心的に筒状壁５ｃが立設されている。図３（Ａ）に示すように、底壁５ａのうち筒状壁５ｃに取り囲まれた部分には小径の孔６ａと、中径の孔６ｂと、大径の孔６ｃとが形成されている。孔６ｂに連通するパイプ口には可撓性のパイプ９５の一端が着脱可能に取り付けられている。
【００２５】
また、缶ホルダー５の外周壁５ｂの内面には、４つの弧状爪７が円周方向に等間隔で形成されている。また、各弧状爪７の隣には、対応する弧状爪７と所定の間隔を隔ててストッパ７ａが形成されている。この弧状爪７及びストッパ７ａは後述の缶リング２４との結合の際に使用される。
【００２６】
２．バレル４
缶ホルダー５の下には、バレル４が着脱可能に取り付けられている。バレル４は３本のノズル（管）４ａ，４ｂ，４ｃを並設することによって構成されている。
バレル４は缶ホルダー５の下に付設された連通部材５０に着脱可能に取り付けられる。図３（Ａ）に示すように、連通部材５０には、上記孔６ａをノズル４ａと連通させる連通口５０ａと、上記孔６ｂをノズル４ｂと連通させる連通口５０ｂと、上記孔６ｃをノズル４ｃと連通させる連通口５０ｃとを有している。連通口５０ａ〜５０ｃの縁は弁座を構成している。なお、孔６ａ〜６ｃからノズル４ａ〜ノズル４ｃに亘って各種排出路を構成している。具体的には、泡排出路、ガス排出路及び飲料排出路を構成している。
ノズル４ａ，４ｂ，４ｃのうちノズル４ａは途中で屈曲されている。また、ノズル４ｂは他のノズル４ａ，４ｃよりも短く、その先端部がノズル４ａの屈曲部に連結されている。すなわち、図３（Ａ），（Ｂ）に示すように、ノズル４ｂの先端部のスリット４０を介してノズル４ｂ内の空間がノズル４ａ内の空間に連通されるように、ノズル４ｂがノズル４ａに連結されている。この理由については後述する。
連通部材５０には、連通口５０ａを閉塞するためのパッキン９ａと、連通口５０ｂを閉塞するためのパッキン９ｂと、連通口５０ｃを閉塞するためのパッキン９ｃとが着脱可能に取り付けられる。パッキン９ａ〜９ｃはゴム製のパッキンで、弁体を構成している。なお、パッキン９ｂとパッキン９ｃは一体であってもよい。
【００２７】
３．機器本体２
機器本体２には弁動作機構６０が設けられている。この弁動作機構６０は連通部材５０の後方に設置される。
この弁動作機構６０は、図３（Ａ）に示すように、パッキン９ａに対応するシャフト８ａと、パッキン９ｂに対応するシャフト８ｂと、パッキン９ｃに対応するシャフト８ｃとを備えている。
シャフト８ａはスプリング１０ａによってパッキン９ａの方向に付勢され、シャフト８ｂはスプリング１０ｂによってパッキン９ｂの方向に付勢され、シャフト８ｃはスプリング１０ｃによってパッキン９ｃの方向に付勢されている。これによって、シャフト８ａがパッキン９ａを介して連通口５０ａを閉塞し、シャフト８ｂがパッキン９ｂを介して連通口５０ｂを閉塞し、シャフト８ｃがパッキン９ｃを介して連通口５０ｃを閉塞する。
さらに、シャフト８ａの基端部には突起１１ａが付設され、シャフト８ｂの基端部には突起１１ｂが付設され、シャフト８ｃの基端部には突起１１ｃが付設されている。
【００２８】
また、弁動作機構６０は泡トリガー１５及び飲料トリガー１９を備えている。
図４（Ａ）に示すように、シャフト８ａ，８ｂ，８ｃの下方には、シャフト８ａ，８ｂ，８ｃに対して直交する方向に延在する軸１２，１３が設置されている。
軸１２には泡トリガー１５が回転可能に保持されている。図４（Ａ），（Ｂ）に示すように、この泡トリガー１５には爪１５ａが形成されている。この泡トリガー１５は、スプリング１０ａによって、図４（Ａ）において、反時計方向に付勢され、ストッパ１７によって所定位置に位置決めされている。
爪１５ａはシャフト８ａの突起１１ａに対応している。そして、泡トリガー１５が操作された際に、爪１５ａが突起１１ａを押し、シャフト８ａがスプリング１０ａの付勢力に抗して連通口５０ａから離れる方向に移動する。これによってパッキン９ａによる連通口５０ａの閉塞が解除される。
なお、図４（Ａ），（Ｂ）に示すように、軸１２には遊動片１８が回動可能に支持されている。この遊動片１８にはシャフト８ｂの突起１１ｂに対応して爪１８ｂが形成され、シャフト８ｃの突起１１ｃに対応して爪１８ｃが形成されている。爪１８ｂと爪１８ｃとは遊動片１８の円周方向にずれた位置に形成されている。また、遊動片１８には入力部１８ｄが形成されている。
【００２９】
軸１３には飲料トリガー１９が回転可能に保持されている。この飲料トリガー１９には爪１９ａが形成されている。この飲料トリガー１９は、スプリング１０ｂによって、図４（Ａ）において、時計方向に付勢され、ストッパ２１によって所定位置に位置決めされている。
そして、飲料トリガー１９が半押しされたときには、爪１９ａが入力部１８ｄを押し、爪１８ｂが突起１１ｂを押すことで、シャフト８ｂがスプリング１０ｂの付勢力に抗して連通口５０ｂから離れる方向に移動する。これによってパッキン９ｂによる連通口５０ｂの閉塞が解除される。この場合、爪１８ｂと爪１８ｃとは遊動片１８の円周方向にずれた位置に形成されているので、爪１８ｃは突起１１ｃを押さない。したがって、連通口５０ｃは閉塞状態を維持する。
また、飲料トリガー１９が全押しされたときには、爪１８ｂが突起１１ｂを押し続けるので、パッキン９ｂによる連通口５０ｂの閉塞が解除されたままとなる。
また、このときには、爪１９ａが入力部１８ｄを押し、爪１８ｃが突起１１ｃを押すことになり、シャフト８ｃがスプリング１０ｃの付勢力に抗して連通口５０ｃから離れる方向に移動する。これによってパッキン９ｃによる連通口５０ｃの閉塞が解除される。
【００３０】
また、機器本体２は、基台３ａ付きの把手３を備えている。把手３は柱状に構成され、片手で握れる程度の大きさとなっている。基台３ａは、飲料サーバー１に飲料缶３０を取り付けた際起立状態（図１の状態）を保持可能な大きさ及び形状となっている。
【００３１】
４．パッキン２２
缶ホルダー５と後述の缶リング２４との間に介装されるパッキン２２は図５（Ａ）に示すように平面視で環状を成している。このパッキン２２は、図５（Ｂ）に示すように、飲料缶３０の蓋面に当接する環状の平面部２２ａと、この平面部２２ａの外周部から起立する円筒状起立部２２ｂと、円筒状起立部２２ｂの半径方向外方に張り出す張出部２２ｃとを備えている。このパッキン２２の円筒状起立部２２ｂの外周面には平面部２２ａと張出部２２ｃとの中間部に外側に膨らみ出す膨出部２２ｄが形成されている。
このパッキン２２によれば、後述の缶リング２４に缶ホルダー２４が結合された際に、筒状壁５ｃに押圧されて飲料缶３０の蓋面に平面部２２ａが当接し、同じく筒状壁５ｃに押圧されて飲料缶３０の飲み口側の外周縁３１ｃの内面に円筒状起立部２２ｂが当接し、底壁５ａに押圧されて飲料缶３０の外周縁３１ｃの先端に当接する。
【００３２】
５．缶リング２４
缶リング２４は、飲料缶３０を缶ホルダー５に保持させるためのものである。図１に示すように、缶リング２４は、飲料缶３０の缶胴３１に嵌着される円筒状の枠体から形成されている。この枠体には、円周方向１箇所に一端部から他端部までに達するスリット２５が形成されている。その結果、缶リング２４は、全体としてＣ状で、半径方向に弾性変形可能なリングとなっている。この缶リング２４は缶ホルダー５が取り付けられた際に縮径（径が小さくなること）するように構成されている。この縮径は、缶リング２４の一部と缶ホルダー２４の一部とが摺接することによって生じる。したがって、摺接部の径を調節することによって、縮径の大きさも調整することができる。
缶リング２４の枠体は、飲料缶３０の缶胴３１の大径部３１ａに対応した大径部２４ａと、飲料缶３０の缶胴３１の傾斜した肩部３１ｂに対応した中径部２４ｂと、飲料缶３０の外周縁３１ｃに対応した小径部２４ｃとを有し、外面が階段状に形成されている。この枠体の内面は外面に対応した形状を有し、階段状に形成されている。そして、缶リング２４を飲料缶３０に缶胴３１に嵌着した際に、枠体の大径部２４ａが飲料缶３０の缶胴３１の大径部３１ａに嵌合し、枠体の中径部２４ｂが飲料缶３０の缶胴３１の肩部３１ｂに乗り、枠体の小径部２４ｃが飲料缶３０の外周縁３１ｃに嵌合する。
また、小径部２４ｃの外面には４つの弧状爪２４ｄが円周方向に等間隔で形成されている。この４つの弧状片２４ｃの各々は上記４つの弧状爪７の各々に１対１で対応している。
なお、缶リング２４の小径部２４ｃには、中心軸を挟んだ上記スリット２５の対向部位に短いスリット２５ａが形成されている。これにより、小径部２４ｃの弾性変形を容易にしている。ここでは、スリット２５と、このスリット２５ａとの双方を設けているが、どちらか一方のスリットを設けることとしてもよい。また、スリット２５ａを設ける場合には、その数も問わない。
【００３３】
（使用方法）
このように構成された飲料サーバー１の使用の仕方を缶ビールに適用した場合を例に説明する。
【００３４】
缶ホルダー５にバレル４とパッキン６ａ〜６ｃを取り付ける。この場合のバレル４の取付けは、連通部材５０の穴（連通口５０ａ〜５０ｃの前側の穴）にバレル４の後端部を前方から差し込むことによってなされる。一方、パッキン６ａ〜６ｃの取付けは、連通部材５０の穴（連通口５０ａ〜５０ｃの後側の穴）にパッキン６ａ〜６ｃを後方から差し込むことによってなされる。
次に、缶ホルダー５にパイプ９５を取り付ける。続いて、パッキン２２を缶ホルダー５の円筒状壁５ｃに外嵌させる。或いは、パッキン２２を飲料缶３０側に載せる（図７参照）。
次に、飲料缶３０をテーブル上で正立させた状態（図２の状態）で、飲料缶３０に缶リング２４を取り付ける。その後、缶ホルダー５を逆さまにしてパイプ９５を飲料缶３０の飲み口に差し込んだ状態で缶リング２４に被せる。そして、缶ホルダー５を缶リング２４に対して所定方向に回転させ、缶ホルダー５の弧状爪７を缶リング２４の弧状爪２４ｄに係合させる。すると、缶リング２４が縮径して、飲料缶３０の缶胴３１が缶リング２４によって締め付けられるとともに、パッキン２２が缶ホルダー５の底壁５ａ及び筒状壁５ｃによって押圧され、パッキン２２が飲料缶３０の蓋面、外周縁３１ｃの内面及び外周縁３１ｃの先端に押し付けられる（図８）。
次に、缶ホルダー５に機器本体２を取り付ける。機器本体２の取付けは、図２に示す機器本体２の凸部８０を缶ホルダー５の凹部（図示せず）に後方から挿入し、キー９０を差し込み口９１，９２に差し込むことによってなされる。
【００３５】
このように組み立てられた飲料サーバー１を図９に示すように、バレル部４の先端（ノズル）をグラスＡ上に位置させる。そして、先ず飲料トリガー１９を半押して飲料缶３０内に存在するガスを抜く。次いで、飲料トリガー１９を深く押し、飲料缶３０内のビールをノズル４ｃを介してグラスＡに注ぐ。
【００３６】
そして、グラスＡに所定量のビールが注がれたなら、飲料サーバー１を上下（縦方向）に軽くスイングする。これによって、飲料缶３０内のビールが泡化する。続いて、泡トリガー１５を押す。すると、ノズル４ａのパッキン９ａによる連通口５０ａの閉鎖が解除され、ノズル４ａから泡がグラスＡに注がれる。
【００３７】
最後に、ノズル４ｂの先端部のスリット４０を介してノズル４ｂ内の空間をノズル４ａ内の空間に連通させた理由について説明すれば、飲料がビールの場合にガス抜きすると、ガスと一緒に泡も排出され当該泡はノズル４ｂに付着する。そして、その直後にビールを注ぐと、ノズル４ｂからもガスに混じって泡も一緒に排出され、この泡が原因で、注いだビールが泡だらけになってしまう。そこで、スリット４０を介してノズル４ｂ内の空間をノズル４ａ内の空間に連通させることにより、ノズル４ｂ内で泡を滞留させ排出を遅らせて液化させるために、スリット４０を介してノズル４ｂ内の空間をノズル４ａ内の空間に連通させることとした。
また、孔６ａを孔６ｃよりも小さくしたのは、クリーミーな泡を形成するためであり、例えばビールを排出する孔６ｃと同じ径とすると泡の形成が困難となるためである。
【００３８】
以上、本発明の実施形態について説明したが、本発明は、かかる実施形態に限定されず、その要旨を逸脱しない範囲で種々変形可能であることは言うまでもない。
例えば、上記実施形態の使用方法では、ビールに適用した場合を示したが、他の発泡飲料を含む飲料一般にも適用できる。また、取り付ける飲料缶３０は逆さの場合に限らず、横又は斜めであってもよい。
【符号の説明】
【００３９】
１    飲料サーバー
２    機器本体
４    バレル
５    缶ホルダー
１５    泡トリガー
１９    飲料トリガー
２４    缶リング
３０    飲料缶
９５    パイプ
【図１】
2017128350.tif 000003
【図２】
2017128350.tif 000004
【図３】
2017128350.tif 000005
【図４】
2017128350.tif 000006
【図５】
2017128350.tif 000007
【図６】
2017128350.tif 000008
【図７】
2017128350.tif 000009
【図８】
2017128350.tif 000010
【図９】
2017128350.tif 000011